(57)【要約】【課題】電動機８へ水が侵入する恐れを防ぐことができることを目的とする。【解決手段】天井に円筒状で下方にフランジを有した本体１を埋込み、本体１の天面６には、ターボファンとターボファンを回転させるための電動機８と電動機８を保持する天板を設け、天面６上に電動機８の外周を覆うように水侵入防止リブ３８を設けたという構成にしたことにより、水侵入防止リブ３８によって水の流れを遮るので、電動機８へ水が侵入する恐れを防ぐことができるイオン発生装置を得られる。【選択図】図８
2014175061.tif 000002
【特許請求の範囲】
【請求項１】
天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、前記天面上に前記電動機の外周を覆うように水侵入防止リブを設けたことを特徴とするイオン発生装置。
【請求項２】
天面にリブを複数設け、前記リブを水侵入防止リブよりも低くしたことを特徴とする請求項１に記載のイオン発生装置。
【請求項３】
リブの電動機側の一部分を低くしたことを特徴とする請求項２に記載のイオン発生装置。
【請求項４】
天面に本体の外周側に向かって下方へ傾斜を設けたことを特徴とする請求項１に記載のイオン発生装置。
【請求項５】
天面の外周側に逃がし穴を設けたことを特徴とする請求項４に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている。（例えば、特許文献１参照）。
【０００３】
以下、そのイオン発生装置について図１０を参照しながら説明する。
【０００４】
図１０に示すように、天井に本体を埋込み、天井面からイオンを発生させるイオン発生装置であって、本体は、円筒状の本体ケース１０１内に仕切板１０２と、この仕切板１０２の下方に送風手段としてシロッコファン１０３と、仕切板１０２を貫通した開口に静電霧化手段１０４と、本体ケース１０１の下端に本体吸込み口１０５と本体吹出し口１０６を有するグリル１０７と、本体ケース１０１の上に設けられている、制御基板の入った制御ボックス１０８で構成されている。
【０００５】
上記構成により、本体ケース１０２内に螺旋状の空気流路を設けて旋回気流を作り出し、旋回気流を本体吹出し口１０７から吹出すことができる。
【先行技術文献】
【特許文献】
【０００６】
【特許文献１】特開２０１１−２５３７８０号公報
【発明の概要】
【発明が解決しようとする課題】
【０００７】
このような従来のイオン発生装置においては、電動機へ水が侵入する恐れがある、という課題を有していた。
【０００８】
そこで本発明は、上記従来の課題を解決するものであり、電動機へ水が侵入する恐れを防ぐことができるイオン発生装置を提供することを目的とする。
【課題を解決するための手段】
【０００９】
そして、この目的を達成するために、本発明は、天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、前記天面上に前記電動機の外周を覆うように水侵入防止リブを設けたとしたものであり、これにより所期の目的を達成するものである。
【発明の効果】
【００１０】
本発明によれば、天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、前記天面上に前記電動機の外周を覆うように水侵入防止リブを設けた、という構成にしたことにより、リブによって水の流れを遮ることとなるので、電動機へ水が侵入する恐れを防ぐことができる、という効果を得ることができる。
【図面の簡単な説明】
【００１１】
【図１】本発明の実施の形態１のイオン発生装置を天井に取付けた状態の側面断面図
【図２】同イオン発生装置を天井に取付けた状態の正面断面図
【図３】同イオン発生装置の取付け金具の構成を示した拡大図
【図４】同イオン発生装置の平面図
【図５】同イオン発生装置の図４記載のＡ−Ａ断面図
【図６】同イオン発生装置のグリルを取外した状態を示す斜視図
【図７】同イオン発生装置の天井へ取付ける際の取付け状態を示す断面図
【図８】同イオン発生装置の水侵入防止リブを設けた構成を示した斜視図
【図９】同イオン発生装置の水侵入防止リブを設けた構成を示した拡大斜視図
【図１０】従来のイオン発生装置の分解斜視図
【発明を実施するための形態】
【００１２】
本発明の請求項１記載のイオン発生装置は、天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、前記天面上に前記電動機の外周を覆うように水侵入防止リブを設けた、という構成を有する。
【００１３】
これにより、リブによって水の流れを遮ることとなるので、電動機へ水が侵入する恐れを防ぐことができる、という効果を奏する。
【００１４】
また、天面にリブを複数設け、前記リブを水侵入防止リブよりも低くした、という構成にしてもよい。
【００１５】
これにより、水が水侵入防止リブを乗り越えるよりも先に水がリブを乗り越えることとなるので、より電動機への水の侵入を防ぐことができる、という効果を奏する。
【００１６】
また、リブの電動機側の一部分を低くした、という構成にしてもよい。
【００１７】
これにより、水が電動機側へ流れてリブを乗り越えることとなるので、より電動機への水の侵入を防ぐことができる、という効果を奏する。
【００１８】
また、天面に本体の外周側に向かって下方へ傾斜を設けた、という構成にしてもよい。
【００１９】
これにより、傾斜に沿って水が外周側へ流れることとなるので、より電動機への水の侵入を防ぐことができる、という効果を奏する。
【００２０】
また、天面の外周側に逃がし穴を設けた、という構成にしてもよい。
【００２１】
これにより、天面の傾斜を伝って逃がし穴に水が流れることとなるので、水を本体の外側へ排出することができる、という効果を奏する。
【００２２】
以下、本発明の実施の形態について図面を参照しながら説明する。
【００２３】
（実施の形態１）
図１〜９に示すように、天井１００に本体１を埋込み、天井１００からイオンを発生させるイオン発生装置に係るものであり、図１に示すように、本体１は円筒状を有しており、下方にはフランジ２を有し、フランジ２の下方には吸込み口３と吹出し口４を有するグリル５を設け、本体１の上方の天面６には、遠心送風手段であるターボファン７とターボファン７を回転させる電動機８を有し、電動機８を保持する天板９を天面６に設けたうえ、天板９の下方には電動機８を接続するターボファン７を組み込んで構成されている。
【００２４】
なお、電動機８は、直流（ＤＣ）でも交流（ＡＣ）でもどちらでも良い。
【００２５】
また、風路構造は、吸込み口３の全周から室内の空気を吸込み、オリフィス１０にかけて筒状の経路１１ａを通ってターボファン７に吸込まれ、ターボファン７の全周に吹出し、オリフィス部の外側にある筒状の経路１１ｂを通り、グリル５の吹出し口４の全周から室内へ排出される構造としている。
【００２６】
また、図２に示すように、天板９の上方に、電動機８とイオンの発生を行う静電霧化手段１２ａおよび静電霧化手段１２ｂをコントロールする制御回路１３（図１参照）を内部に納める制御回路ケース１４を有し、制御回路ケースカバー１５によって制御回路ケース１４を覆う構成としている。
【００２７】
また、本体１を天井１００へ固定するために、図３に示すように、本体１の側面には取付け金具１６を設け、取付け金具１６は板状の固定金具１７と根底金具１８の二つの部品で構成され、根底金具１８は固定金具１７と接触する接触面を中心に天井１００面と根底金具１８が平行となるように回転でき、本体１の側面にあいた穴１９と固定金具１７にあいた長穴２０を貫通する金具専用ネジ２１の進む方向の先端には、固定ナット２２が設けられている。
【００２８】
金具専用ネジ２１を回転させることで、本体１の側面に設けた天井１００側を凹状としたコの字形状の壁２３によって、回転方向の動きを規制された固定ナット２２が上下に移動し取付け金具１６を下方に移動させて、フランジ２と取付け金具１６とで天井１００を挟みこんで本体１を天井１００に固定する（図２参照）こととなる。
【００２９】
ここで、本製品において、取付け金具１６は本体１の左右すなわち側面に２つ備える構造としているが、その個数はこの限りではない。
【００３０】
また、図４に示すように、フランジ２に設けてある取付け穴２４にネジを差し込んで締め付けることで、天井１００に取付けることも可能である。
【００３１】
なお、取付け穴２４は、通常使用での風漏れを防ぐために取付け穴２４を塞いだ構造としているが、薄肉で塞がっているため、取付け穴２４にネジを差し込む際、容易に貫通させて取付けることができる。
【００３２】
また、図５に示すように、静電霧化手段１２ａおよび静電霧化手段１２ｂによって発生したイオンは、本体１の内部に設けたガイド２５ａおよびガイド２５ｂを通ってイオン排出口２６ａおよびイオン排出口２６ｂから排出される構造であり、ターボファン７により吹出された空気に混流して室内へ排出される。
【００３３】
なお、ターボファン７から吹出された空気によりイオン排出口２６ａおよびイオン排出口２６ｂは負圧となり、静電霧化手段１２ａおよび静電霧化手段１２ｂによって発生したイオンは、ガイド２５ａおよびガイド２５ｂを通ってイオン排出口２６ａおよびイオン排出口２６ｂへと引っ張られるため、発生したイオンが逆流する恐れがなく、かつ、埃や異物がガイド２５ａおよびガイド２５ｂを通って静電霧化手段１２ａおよび静電霧化手段１２ｂに侵入する恐れがない構造である。
【００３４】
また、図６に示すように、オリフィス１０は、フランジ２の内部に沿って矢印方向２７に回転させて取付け、フランジ２の内部に設けた回転規制リブ２８により位置決めされ、かつ、オリフィス固定ネジ２９により正規の位置へと固定される構造である。
【００３５】
また、オリフィス１０には、スイッチ制御回路３０（図１参照）を有しており、本体１の動作または停止を切り替えることのできる運転切替スイッチ３１を設け、かつ、本体１動作時に点灯する運転動作ランプ３２（図１参照）を備え、さらに、運転動作ランプ３２の光強度を調節する調光スイッチ３３を設けており、これらは保護カバー３４により覆われ、オリフィス固定ネジ２９により正規の位置へと固定される構造としている。
【００３６】
さらに、保護カバー３４の上方には侵入防止リブ３５を有しており、例えば運転切替スイッチ３１または調光スイッチ３３を指で操作する際、誤ってターボファン７へ指が接触することを防ぐことができ、かつ、吸込み口３から侵入した埃や異物が、運転切替スイッチ３１または調光スイッチ３３の隙間からスイッチ制御回路３０（図１参照）へ侵入することを防ぐ構造である。
【００３７】
また、図１に示すように、保護カバー３４の下方には運転動作ランプ３２の光が通る光筒３６を設け、グリル５へ運転動作ランプ３２の光を透過させ、グリル５の表面で光を浮び上がらせている。
【００３８】
加えて、運転動作ランプ３２の光が通過するグリル５の表面に、一例として丸型の凹み３７を備えた構造としたことで、運転動作ランプ３２上のグリル５の表面が薄くなるため、運転動作ランプ３２の光の透過性が増し、より鮮明にランプが浮かび上がる仕様となっており、明るいと感じるユーザーに対しては、調光スイッチ３３を用いて光の強度を調整することができる。
【００３９】
上記の構成において、図７に示すように、制御回路ケース１４および制御回路ケースカバー１５はそれぞれ長方形状であり、かつ、円筒状である本体１の直径値よりも小さい大きさとし、また、長手方向が本体１の中心から片側に寄せて配置する構成としているため、本体１を施工する際に天井１００の丸穴に斜めに挿入すれば、制御回路ケース１４および制御回路ケースカバー１５を容易に挿入することができる。
【００４０】
また、図８に示すように、天面６上に電動機８の外周を覆うように水侵入防止リブ３８を設けた構造としている。
【００４１】
これにより、水が天面６に侵入し電動機８に向かって流れた場合、水が侵入できない程度の高さを有した水侵入防止リブ３８によって水の流れを遮るため、電動機８へ水が侵入する恐れを防ぐことができる。
【００４２】
また、ものづくり上において、天面６の樹脂が変形してしまうため、変形に対する対策として、天面６にリブ３９を設ける必要があるが、このとき、天面６にリブ３９を複数設け、リブ３９を水侵入防止リブ３８よりも低くした、という構成にしてもよい。
【００４３】
なお、本実施の形態では、放射線上に８本設けており、樹脂の変形はない。
【００４４】
これにより、水が天面６に侵入し電動機８に向かって流れた場合、水侵入防止リブ３８を乗り越えるよりも先に水がリブ３９を乗り越えることとなるので、より電動機８への水の侵入を防ぐことができる。
【００４５】
さらに、図９に示すように、仮に勢いよく水が天面６に侵入し電動機８に向かって流れた場合、あるいは、リブ３９を乗り越えると同時に水侵入防止リブ３８を乗り越えてしまう程の大量の水が流れた場合においても、天面６に設けたリブ３９の電動機８側の一部分４０を更に低くすることで、侵入した水は全てリブ３９の一部分４０を乗り越えその方向へ水が流れるので、水が水侵入防止リブ３８を乗り越えることがなくなり、より電動機８への水の侵入を防ぐことができる。
【００４６】
また、図８に示すように、天面６に本体１の外周側に向かって下方へ傾斜４１を設けた構成にしてもよい。
【００４７】
これにより、侵入した水が傾斜４１に沿って本体１の外周側へ流れることとなるので、水侵入防止リブ３８に達することなく、より電動機８への水の侵入を防ぐことができる。
【００４８】
さらに、天面６の外周側に逃がし穴４２を設けることで、天面６に設けた傾斜４１に沿って流れた水が、逃がし穴４２から外へ排出されることとなるので、水を本体１の外側へ排出できる。
【００４９】
本製品の仕様では、逃がし穴４２は２つ設けた構成としているが、数はこの限りではなく、単数あるいは複数設けてもよい。
【００５０】
また、リブ３９の外周側の先端に逃がし穴４２を設けることで、水がリブに沿って外側の下方へ向かって流れ、逃がし穴４２から外へ排出されるので、より水を本体１の外側へ排出することができる。
【産業上の利用可能性】
【００５１】
本発明にかかるイオン発生装置は、天井に取付けて広範囲にイオン供給を可能とするものであるので、イオンによってもたらすことができる効果や効能を居住空間に供給することに有用であり、また、クローゼットやバス、トイレ、または倉庫などの非居住空間においても有用である。
【符号の説明】
【００５２】
１      本体
２      フランジ
３      吸込み口
４      吹出し口
５      グリル
６      天面
７      ターボファン
８      電動機
９      天板
１０    オリフィス
１１ａ  経路
１１ｂ  経路
１２ａ  静電霧化手段
１２ｂ  静電霧化手段
１３    制御回路
１４    制御回路ケース
１５    制御回路ケースカバー
１６    取付け金具
１７    固定金具
１８    根底金具
１９    穴
２０    長穴
２１    金具専用ネジ
２２    固定ナット
２３    壁
２４    取付け穴
２５ａ  ガイド
２５ｂ  ガイド
２６ａ  イオン排出口
２６ｂ  イオン排出口
２７    矢印方向
２８    回転規制リブ
２９    オリフィス固定ネジ
３０    スイッチ制御回路
３１    運転切替スイッチ
３２    運転動作ランプ
３３    調光スイッチ
３４    保護カバー
３５    侵入防止リブ
３６    光筒
３７    凹み
３８    水侵入防止リブ
３９    リブ
４０    一部分
４１    傾斜
４２    逃がし穴
１００  天井
【図１】
2014175061.tif 000003
【図２】
2014175061.tif 000004
【図３】
2014175061.tif 000005
【図４】
2014175061.tif 000006
【図５】
2014175061.tif 000007
【図６】
2014175061.tif 000008
【図７】
2014175061.tif 000009
【図８】
2014175061.tif 000010
【図９】
2014175061.tif 000011
【図１０】
2014175061.tif 000012